(57)【要約】【課題】  幼児を連れて例えば二輪車等で安心且つ安全に外出ができる幼児背負い用ベルトを提供する。【解決手段】  肩口にあたる衣上部１０の左右に、幼児９の左右の腕９４をそれぞれ通すことのできる通孔１１を設け、幼児９の上半身に羽織るようにした上衣１と、該上衣の下部１４に取付けられて該上衣の両側から外方に延設される帯部４０を備え、該上衣着用の幼児９を背負った人８の胴８２に巻き付ける胴巻き用の胴巻きベルト４と、該上衣に取付けられて、その上衣の左側上部,左側下部,右側上部,右側下部の４カ所から外方へそれぞれ延設されるバンド部５０を備え、左側上下の両バンド部５０と右側上下の両バンド部５０とを、それぞれ幼児９を背負った人８の左肩と右肩にかけて結束できる肩掛けベルト５と、を具備する。【選択図】  図１
2007061183.tif 000002
【特許請求の範囲】
【請求項１】
肩口にあたる衣上部の左右に、幼児の左右の腕をそれぞれ通すことのできる通孔を設け、幼児の上半身に羽織るようにした上衣(１)と、
該上衣の下部に取付けられて該上衣の両側から外方に延設される帯部を備え、該上衣着用の幼児を背負った人の胴に巻き付ける胴巻き用の胴巻きベルト(４)と、
該上衣に取付けられて、その上着の左側上部,左側下部,右側上部,右側下部の４カ所から外方へそれぞれ延設されるバンド部を備え、左側上下の両バンド部と右側上下の両バンド部とを、それぞれ幼児を背負った人の左肩と右肩にかけて結束できる肩掛けベルト(５)と、を具備することを特徴とする幼児背負い用ベルト。
【請求項２】
肩口にあたる衣上部の左右に、幼児の左右の腕をそれぞれ通すことのできる通孔を設け、幼児の上半身に羽織るようにした上衣(１)と、
該上衣の後ろ身頃の下部に中央部分が縫合固定されて、該上衣の両側から外方に延設される帯部を備え、該上衣着用の幼児を背負った人の胴に巻き付ける胴巻き用の胴巻きベルト(４)と、
２本のバンドを交差させてその交差部分が該上衣の後ろ身頃に縫合固定される共に後ろ身頃の左側上部,左側下部,右側上部,右側下部の４カ所から外方へ延設されるバンド部が設けられ、左側上下の両バンド部と右側上下の両バンド部とを、それぞれ幼児を背負った人の左肩と右肩にかけて結束できる肩掛けベルト(５)と、を具備することを特徴とする幼児背負い用ベルト。
【請求項３】
肩口にあたる衣上部の左右に、幼児の左右の腕をそれぞれ通すことのできる通孔を設け、幼児の上半身に羽織るようにした上衣(１)と、
該上衣の後ろ身頃の下縁から該後ろ身頃の横幅以下の横幅にして延設される舌片(２)と、
該舌片に取付けられて該上衣の両側から外方に延設される帯部を備え、該上衣着用の幼児を背負った人の胴に巻き付ける胴巻き用の胴巻きベルト(４)と、
該上衣の後ろ身頃に取付けられて、後ろ身頃の左側上部,左側下部,右側上部,右側下部の４カ所から外方へそれぞれ延設されるバンド部を備え、左側上下の両バンド部と右側上下の両バンド部とを、それぞれ幼児を背負った人の左肩と右肩にかけて結束できる肩掛けベルト(５)と、を具備することを特徴とする幼児背負い用ベルト。
【発明の詳細な説明】
【技術分野】
【０００１】
本発明は幼児を連れて例えば二輪車で買い物に出かける際に用いられる幼児背負い用ベルトに関する。
【背景技術】
【０００２】
核家族化が進む状況下で子育てが難しくなっている。例えば主婦がまだ幼い子供を自転車やバイクを使って買い物などに出かけるのは大変である。家に残して出かけるわけにもいかない。こうしたことから、バイクなどの二輪車に関しては、子供を一緒に乗せて出かけることのできる二輪車用チャイルドシート等の提案がいくつかなされている（例えば特許文献１,２）。
【０００３】
【特許文献１】特開２００２−２９２９７号公報
【特許文献２】特開２００２−２８４０５９号公報
【発明の開示】
【発明が解決しようとする課題】
【０００４】
しかるに、特許文献１,２の技術はいずれも背もたれ等の座席があり、これに固定する方法であった。座席に着座させておくことのできる子供ならともかく、着座させて走行するに安心できない幼児には不安が残る。かといって、運転手につかまって乗せることも難しい。とりわけ幼児のように運転手の胴回りに手を回してつかまることができない子供は不可能である。
【０００５】
本発明は上記問題点を解決するもので、幼児を連れて例えば二輪車等で安心且つ安全に外出ができる幼児背負い用ベルトを提供することを目的とする。
【課題を解決するための手段】
【０００６】
上記目的を達成すべく、請求項１に記載の発明の要旨は、肩口にあたる衣上部の左右に、幼児の左右の腕をそれぞれ通すことのできる通孔を設け、幼児の上半身に羽織るようにした上衣(１)と、該上衣の下部に取付けられて該上衣の両側から外方に延設される帯部を備え、該上衣着用の幼児を背負った人の胴に巻き付ける胴巻き用の胴巻きベルト(４)と、該上衣に取付けられて、その上着の左側上部,左側下部,右側上部,右側下部の４カ所から外方へそれぞれ延設されるバンド部を備え、左側上下の両バンド部と右側上下の両バンド部とを、それぞれ幼児を背負った人の左肩と右肩にかけて結束できる肩掛けベルト(５)と、を具備することを特徴とする幼児背負い用ベルトにある。
請求項２に記載の発明の要旨は、肩口にあたる衣上部の左右に、幼児の左右の腕をそれぞれ通すことのできる通孔を設け、幼児の上半身に羽織るようにした上衣(１)と、該上衣の後ろ身頃の下部に中央部分が縫合固定されて、該上衣の両側から外方に延設される帯部を備え、該上衣着用の幼児を背負った人の胴に巻き付ける胴巻き用の胴巻きベルト(４)と、２本のバンドを交差させてその交差部分が該上衣の後ろ身頃に縫合固定される共に後ろ身頃の左側上部,左側下部,右側上部,右側下部の４カ所から外方へ延設されるバンド部が設けられ、左側上下の両バンド部と右側上下の両バンド部とを、それぞれ幼児を背負った人の左肩と右肩にかけて結束できる肩掛けベルト(５)と、を具備することを特徴とする幼児背負い用ベルトにある。
請求項３に記載の発明の要旨は、肩口にあたる衣上部の左右に、幼児の左右の腕をそれぞれ通すことのできる通孔を設け、幼児の上半身に羽織るようにした上衣(１)と、該上衣の後ろ身頃の下縁から該後ろ身頃の横幅以下の横幅にして延設される舌片(２)と、該舌片に取付けられて該上衣の両側から外方に延設される帯部を備え、該上衣着用の幼児を背負った人の胴に巻き付ける胴巻き用の胴巻きベルト(４)と、該上衣の後ろ身頃に取付けられて、後ろ身頃の左側上部,左側下部,右側上部,右側下部の４カ所から外方へそれぞれ延設されるバンド部を備え、左側上下の両バンド部と右側上下の両バンド部とを、それぞれ幼児を背負った人の左肩と右肩にかけて結束できる肩掛けベルト(５)と、を具備することを特徴とする幼児背負い用ベルトにある。
【発明の効果】
【０００７】
本発明の幼児背負い用ベルトは、車のシートベルトとほぼ同じ要領で、幼児を背負うことが簡単にでき、幼児を連れて例えば二輪車等で安心且つ安全に外出が可能であり多大な効を奏する。
幼児のように運転手の胴周りに手をまわしてつかまることができないような子供は、運転手の胴と肩に、請求項１〜３の幼児用背負いベルトに係る胴巻きベルト,肩掛けベルトで直接固定することによって、リュックのように背負う形になり、つかまる力のない幼児でも二輪車の後ろに乗せることができる。運転手の胴につかまれなくても幼児を安全且つ確実に乗せることができ、さらに二輪車の荷台に子供用の椅子が付いてなくても幼児を楽に乗せることができる。
請求項２の発明のごとく、胴巻きベルト,肩掛けベルトが上衣の後ろ身頃に縫合固定してあると、作製簡単にして胴巻きベルト,肩掛けベルトが縫い付けによってズレないため安定する。また、２本のバンドを交差させてその交差部分が該上衣の後ろ身頃に縫合固定される共に後ろ身頃の左側上部,左側下部,右側上部,右側下部の４カ所から外方へ延設されるバンド部が設けられるようにすると、その交差させた２本のバンドが按配よく運転手の肩に幼児を背負わせる形になる。
【発明を実施するための最良の形態】
【０００８】
以下、本発明に係る幼児背負い用ベルトについて詳述する。
(１)実施形態１
図１〜図６は本発明の幼児背負い用ベルトの一形態で、図１は正面から見たその全体斜視図、図２は背面からみたその全体斜視図、図３は幼児を背負った状態の位置関係を示す幼児背負い用ベルトの正面図、図４は幼児背負い用ベルトの別態様品の概略説明背面図、図５は幼児背負い用ベルトの使用説明図、図６は図２,図４と異なる別態様図である。
【０００９】
本幼児背負い用ベルトは上衣１と胴巻きベルト４と肩掛けベルト５と寄せベルト６とを具備する。
上衣１は肩口にあたる衣上部１０の左右に、幼児９の左右の腕９４をそれぞれ通すことのできる通孔１１を設け、幼児９の上半身に羽織るようにした上着である。通孔１１に腕９４を通すことによって幼児９を背負ったときに安定し、幼児９と上衣１との横ズレが生じ難くなる。本実施形態は図１に示すようなノースリーブタイプのジャケットである。上衣１は幼児９の体の大きさに合わせたサイズが用意される。符号１５は衿、符号１６は上衣１を羽織った幼児９の前身頃１ａを合わせ整えるためのボタン、符号１７はそのボタンの挿入孔を示す。
通孔１１に腕９４を通すことによって幼児９は上衣１と一体化する。さらに挿入孔１７にボタン１６を挿入して止めれば、幼児９は上衣１を正規に着た状態になる。上衣１は袖のあるジャケットやジャンパー,セータ,作務衣、またプルオーバー,コートなどでも構わないが、本実施形態のような袖無しのジャケットや、ベスト,チョッキ等の袖なし上着がより好ましい。袖なしジャケットは羽織り易く一層好ましい。袖なし上衣すなわちノースリーブにすることによって、通孔１１に通した幼児９の腕９４の自由度を高め、動きまわる幼児９でもその運動を許容しながら上衣１に幼児９を一体化できるからである。通孔１１に両腕を通している限り幼児９が上衣１から離れて転げ落ちることはない。
【００１０】
胴巻きベルト４は、上衣の下部に取付けられて該上衣の両側から外方に延設される帯部を備え、該上衣着用の幼児を背負った人の胴に巻き付ける胴巻き用の帯具である。より詳しくは、上衣１の後ろ身頃１ｂの下部に中央部分４３が縫合固定されて、該上衣１の両側から水平外方に延設される帯部４０を備え、該上衣着用の幼児９を背負った人８の胴８２に巻き付けることのできる胴巻き用の帯具である。ここで、本発明でいう「胴巻きベルト４」は文字通りの胴に巻くベルトに限らず腰に巻く腰巻きベルトを含む概念で用いる。「胴巻き用」は文字通り胴巻き用の他、腰巻き用を含む概念で用いる。
本実施形態の胴巻きベルト４は、図２のごとく上衣１の後ろ身頃１ｂの背面下縁近くに水平に１本の所定幅(例えば２５mm幅)で所定長さの帯状胴巻きベルト４を配設し、その中央部分４３を後ろ身頃１ｂに縫い合わせて結合する。中央部分４３が後ろ身頃１ｂに固定,結合されたその胴巻きベルト４はその両端部が後ろ身頃１ｂから両サイド外方へ水平に延設される。符号４５は胴巻きベルト４の両端に設けられるバックルで、胴巻きベルト４を胴８２又は腰８３に巻き付けた後、一端に設けられた雄バックル４５ａを他端に設けられた雌バックル４５ｂに挿着することにより胴又は腰に該胴巻きベルト４を装着できる。図２中、符号４９は余剰帯端部で、バックル４５ａの操作によって余剰帯端部４９を帯部４０に組み入れ、幼児を背負った人８の胴回り長に合わせられるよう、帯部４０の有効長さを調整可能とする。尚、図２以外は余剰帯端部４９の図示を省く。
【００１１】
肩掛けベルト５は、上衣に取付けられて、その上着の左側上部,左側下部,右側上部,右側下部の４カ所から外方へそれぞれ延設されるバンド部を備え、左側上下の両バンド部(図２の左側バンド部５０,５０)と右側上下の両バンド部(図２の右側バンド部５０,５０)とを、それぞれ幼児を背負った人の左肩と右肩にかけて結束できる帯具である。ここでは、２本のバンドをタスキ掛けのごとく交差させてその交差部分５３が上衣１の後ろ身頃１ｂに縫合固定されると共に後ろ身頃１ｂの左側上部,左側下部,右側上部,右側下部(上下左右)の４カ所から外方へ延設されるバンド部５０が設けられ、左側上下の両バンド部５０と右側上下の両バンド部５０とを、それぞれ幼児９を背負った人の左肩と右肩にかけるようにして結束できる帯具とする。
図２のごとく所定幅(例えば２５mm幅)で所定長さの２本の帯状バンドを、クロス部分５５が後ろ身頃１ｂの背面に置かれるようにタスキ掛けに配設し、且つそのクロス部分５５さらに後ろ身頃１ｂに接するバンド域のほぼ全域を後ろ身頃１ｂに縫い合わせて２本のバンドを上衣１に強固に一体固着させた肩掛けベルト５とする。後ろ身頃１ｂに固着された２本のバンドは、その１本の両端部が衣上部１０を起点に左側斜め上方へと延設されると共に、衣下部を起点に右側斜め下方へと延設され、残り１本の両端部が衣上部１０を起点に右側斜め上方へと延設されると共に、衣下部を起点に左側斜め下方へと延設される。各バンド部５０の両端にバックル５５を取着する。背面から見た図２で、左側斜め上方端及び右側斜め上方端に雌バックル５５ｂを、左側斜め下方端及び右側斜め下方端に雄バックル５５ａを取着して、左側上下の両バンド部５０が幼児９を背負った人８の左肩（肩８１)にかけて結束し、右側上下の両バンド部５０が幼児９を背負った人の右肩にかけて図３のごとく結束できるようにする。左側上下の両バンド部５０を左肩に、また右側上下の両バンド部５０を右肩にかけ易いように、例えば図４に示すごとく下側の左右バンド部５０を上方向に向かわせる姿態を保形させて該バンド部５０を後ろ身頃１ｂに縫合するとより好ましくなる。図２中、符号５９は余剰帯端部で、バックル５５ａの操作によって余剰帯端部５９をバンド部５０に組み入れ、バンド部５０の有効長さを調整できるようにしている。尚、図２以外は余剰帯端部５９の図示を省く。
【００１２】
寄せベルト６は、１本の帯状のベルト本体６０が前記肩掛けベルト５の衣上部１０から外方に延設される左右の帯部４０に取付けられて、該ベルト本体の両端同士を結合させることによって肩掛けベルト５の左右の帯部４０を中央へ寄せるベルト具である。前記肩掛けベルト５は、左側上下の両バンド部５０と右側上下の両バンド部５０とを、それぞれ幼児９を背負った人８の左肩と右肩にかけて結束できるようにしているが、バックル５５で結束して肩８１にかけたはずのバンド部５０がときに肩８１からずり落ちることがある。本実施形態は、上側両バンド部５０の雌バックル５５ｂ寄りの位置、詳しくは幼児９を背負った人８の左肩と右肩にかけて結束したときに胸前に位置するバンド部５０に筒形成部５７を設ける（図２)。そして該筒形成部５７にベルト本体６０を挿通し、該ベルト本体の両端に雄バックル６５ａと雌バックル６５ｂを取着する。雌雄バックル６５ａ,６５ｂを結合することによって、真っ直ぐに延びていた１本のベルト本体がループ状になって、肩掛けベルト５のバンド部５０を胸前中央へ引き寄せることができるよう、寄せベルト６のベルト本体６０の長さを設定する。肩掛けベルト５を着用するときは、寄せベルト６は図２のごとく直線状にして筒形成部５７を摺動自在に取り付けられているため、該肩掛けベルト５を肩にかけ易くなっている。肩掛けベルト５を肩８１にかけた後、雌雄バックル６５ａ,６５ｂを結合すると、１本のベルト本体６０の長さが折り重なって約半分になり胸前側に配された肩掛けベルト５のバンド部５０,５０を図３のように胸元中央に寄せることになる。尚、図３は寄せベルト６を判り易く描いたもので、実際はベルト本体６０が折り重なって当接する。
【００１３】
本実施形態は縫合によって胴巻きベルト４や肩掛けベルト５を上衣１に固定し(取付け)たが、接着固定やリベット固定による取付けでも構わない。しかし、縫い合わせで胴巻きベルト４や肩掛けベルト５を上衣１に固定する構成は簡単にして一体化が確実であり、安全重視の観点からより好ましくなっている。胴巻きベルト４,肩掛けベルト５は上衣１に縫い付けてあるので、上衣１からズレる心配がなく、しっかり固定されて安定する。
【００１４】
図６は図１〜図５とは別態様の幼児背負い用ベルトで、詳しくは肩口にあたる衣上部１０の左右に、幼児９の左右の腕９をそれぞれ通すことのできる通孔１１を設け、幼児９の上半身に羽織るようにした上衣１と、該上衣１の後ろ身頃１ｂの下部に基端部分４１が取付けられて該上衣１の両側から外方に延設される帯部４０を備え、該上衣１着用の幼児９を背負った人８の胴８２に巻き付ける胴巻き用の胴巻きベルト４と、該上衣１の後ろ身頃１ｂに基端部５１が取付けられて、後ろ身頃１ｂの左側上部,左側下部,右側上部,右側下部の４カ所から外方へそれぞれ延設されるバンド部５０を備え、左側上下の両バンド部５０と右側上下の両バンド部５０とを、それぞれ幼児９を背負った人８の左肩と右肩にかけて結束できる肩掛けベルト５と、を具備する幼児背負い用ベルトである。
本実施形態の肩掛けベルト５は、図２のごとく２本のバンドではなく４本のバンドを用いる。４本のバンドはその基端部５１を上衣１の後ろ身頃１ｂの左側上部,左側下部,右側上部,右側下部の４カ所に縫合固定し、後ろ身頃１ｂのこれら４カ所から外方へそれぞれ延設されるバンド部５０を設ける。そして左側上下の両バンド部５０と右側上下の両バンド部５０とを、それぞれ幼児９を背負った人８の左肩と右肩にかけて結束できる肩掛けベルト５とする。
また、本実施形態は後ろ身頃１ｂの下部１４に筒形成部１８を設け、該筒形成部に胴巻きベルト４の基端部分４１(ここでは胴巻きベルト４の本体中央部)を挿通させて上後ろ身頃１ｂに取付ける。胴巻きベルト４はズボンをはいた後、腰,胴に巻く市販のベルトを用いる。符号４５は胴巻きベルト４の両端に設けられるバックルで、雌バックル４５ｂは透孔としている。
【００１５】
このように構成した幼児背負い用ベルトは、例えば上衣１の通孔１１に幼児９の腕９４を通して上衣１を幼児９に着せ、自転車やバイクなどの二輪車７７の荷台７０に座らせた後、運転席７１に運転手８たる母親等が座って、車のシートベルトと同じ要領で肩掛けベルト５,胴巻きベルト４を締めることによって、幼児９を背負った状態にして運転できる。運転手８の胴８２と肩８１の両方で、該運転手８と幼児９を一緒にベルト固定して背負う形になり、あまり力のない幼児９でも二輪車の後ろ荷台７０に乗せることができる。それでいて幼児９は荷台たる後部座席７０に座っていることから、幼児９の全体重を後部座席７０が支えるので、運転手８に幼児９の重みが加わる負担がなく、幼児９を連れて安心且つ安全に運転し外出できる。目的地に到着後は車のシートベルトを外す要領でバックル４５，５５を外して、幼児９を抱きかかえればよい。胴巻きベルト４,肩掛けベルト５を外せば、上衣１は脱着容易で、簡単に脱がせることができる。幼児９と一緒に気軽に外出でき、家に幼児９をおいてくる不安が解消される。
【００１６】
そして、上衣１と胴巻きベルト４と肩掛けベルト５は一体なので、胴巻きベルト４,肩掛けベルト５が常に適正位置に配されており、幼児９に上衣１を羽織らせ、子供を背負う作業が楽で円滑に進む。従来のひも式子守帯と守胴着は別体であり、位置合わせやまた折角セットしてもズレたりして幼児９を背負う作業にひと苦労していた。これに対し、本発明品は上衣１と胴巻きベルト４,肩掛けベルト５が一体であることから斯る煩わしさは全くない。
肩掛けベルト５は左側上下の両バンド部５０と右側上下の両バンド部５０とを、それぞれ幼児９を背負った運転手８の左肩と右肩にかけた後、雄バックル５５ａを雌バックル５５ｂに差し込めば両バンド部５０を簡単に結束できる。また帯部４０の両端のバックル４５を運転手の前腹の方にもってきて結束すれば胴巻きベルト４を胴８２に簡単に巻きつけることができる。肩掛けベルト５に係る左側上下の両バンド部５０と右側上下の両バンド部５０とを、それぞれ幼児９を背負った人８の左肩と右肩にかけ結束することによって、幼児９の体を運転手の背中に保持させる。さらに、胴巻きベルト４を上衣１着用の幼児９を背負った人８の胴８２に巻き付けることによって、幼児９の下半身を運転手の背中に密着できる。図５は図を判りやすく説明するために運転手８と幼児９との間に隙間を設けているが、実際は肩掛けベルト５,胴巻きベルト４を締めることによって幼児９の体が運転手８の背中に密着する。幼児９が運転手８の胴回りに手を回してつかまえなくても、幼児９を運転手８の背中に一体化させることができる。しかも、上衣１の通孔１１に幼児９の手を通しているので、上衣１から幼児９の体が離れることはない。且つ、その上衣１に胴巻きベルト４,肩掛けベルト５を縫い付けしっかりと固定しているので、胴巻きベルト４,肩掛けベルト５を締めれば幼児９は運転手に確実に背負われた状態を維持できる。
さらに、本実施形態のように上衣１が袖なし上着からなると、通孔１１に通した腕９４が自由になり、運転手８に背負われた幼児９は腕９４を自由に動かすことができる。従来の守胴着のごとく守胴着のなかで幼児９がくるまって身動きできない状態と異なる。幼児９は手を動かして活動できる自由をもつことができ幼児９にとっても素晴らしい幼児背負い用ベルトになっている。
市販のデザイン性に優れる袖なしジャケット上衣１に、そのジャケット色に色を合わせた胴巻きベルト４,肩掛けベルト５を縫合等により取り付ければ、流行性に富み、ファッショナブルな幼児背負い用ベルトが出来上がる。汎用ジャケット等の上衣１を用いれば低コスト化も達成できる。
【００１７】
(２)実施形態２
図７〜図９は実施形態１と別形態の幼児背負い用ベルトで、図７は正面から見たその全体斜視図、図８は幼児背負い用ベルトの使用説明図、図９は幼児を背負った状態の背面からみたその全体斜視図である。
【００１８】
本幼児背負い用ベルトは、実施形態１の後ろ身頃１ｂの下縁から舌片２を延設したものである。詳しくは、肩口にあたる衣上部１０の左右に、幼児９の左右の腕をそれぞれ通すことのできる通孔１１を設け、幼児９の上半身に羽織るようにした上衣１と、該上衣１の後ろ身頃１ｂの下縁１４１から該後ろ身頃１ｂの横幅以下の横幅にして延設される舌片２と、該舌片２に取付けられて該上衣１の両側から水平外方に延設される帯部４０を備え、該上衣着用の幼児９を背負った人の胴に巻き付ける胴巻き用の胴巻きベルト４と、該上衣１の後ろ身頃１ｂに取付けられて、後ろ身頃１ｂの左側上部,左側下部,右側上部,右側下部の４カ所から外方へそれぞれ延設されるバンド部５０を備え、左側上下の両バンド部５０と右側上下の両バンド部とを、それぞれ幼児９を背負った人の左肩と右肩にかけて結束できる肩掛けベルト５と、を具備する幼児背負い用ベルトとする。
舌片２は図７に示すような長方形した布部からなり、該舌片２の横幅は幼児９の股の下を通し、幼児９の両足が楽に開くほどの幅とする。また実施形態１と違って該舌片２の下縁近くに、１本の所定幅で所定長さの帯状胴巻きベルト４を配設し、その中央部分を後ろ身頃１ｂに縫い合わせて結合する。符号４８は縫合ラインを示す。中央部分が後ろ身頃１ｂに固定,結合されたその胴巻きベルト４の両端部が後ろ身頃１ｂから両サイド外方へ水平に延設する。他の構成は実施形態１と同様で、その説明を省く。
【００１９】
このように構成した幼児背負い用ベルトは、二輪車７の荷台７０に座ることもおぼつかない幼い幼児９でも、二輪車７に乗せて一緒に外出できる。例えば、上衣１の通孔１１に幼児９の腕９４を通して、上衣１を幼児９に着せる。そして、図８,図９のように幼児９の両足を広げ、股の間に舌片２を通した後、車のシートベルトと同じ要領で、実施形態１と同様に肩掛けベルト５,胴巻きベルト４を締めることによって、幼児９の全体重を背中で背負った状態にして運転できる。特に小さな幼児９は荷台７０に座ることすらままならない場合があるが、このような幼児９は逆に軽いので運転手がその体重を背負ってもさほど負担にならない。目的地に到着後は車のシートベルトを外す要領でバックル４５,５５を外して、幼児９を抱きかかえればよい。
また本実施形態の幼児背負い用ベルトは、幼児９の股の間を通した舌片２と、該舌片２を保持する胴巻きベルト４とによって幼児９の体重を受け支えるので、二輪車７に乗って外出する場合だけでなく、歩行外出する場合や子供を背負って子守りしながら家事をする場合などにも使用でき、頗る有益なものとなる。
他の構成,効果は実施形態１と同様でその説明を省略する。
【００２０】
尚、本発明においては前記実施形態に示すものに限られず、目的,用途に応じて本発明の範囲で種々変更できる。上衣１,舌片２,胴巻きベルト４,肩掛けベルト５,バックル４５,５５,６５等の形状,大きさ,材質等は用途に合わせて適宜選択できる。
【図面の簡単な説明】
【００２１】
【図１】実施形態１の幼児背負い用ベルトで、正面から見たその全体斜視図である。
【図２】背面からみたその全体斜視図である。
【図３】幼児を背負った状態の位置関係を示す幼児背負い用ベルトの正面図である。
【図４】図１〜図３とは別態様の幼児背負い用ベルトの概略説明背面図である。
【図５】幼児背負い用ベルトの使用説明図である。
【図６】図２,図４と異なる別態様図である。
【図７】実施形態２の幼児背負い用ベルトで、正面から見たその全体斜視図である。
【図８】幼児背負い用ベルトの使用説明図である。
【図９】幼児を背負った状態の背面からみたその全体斜視図である。
【符号の説明】
【００２２】
１            上衣
１０          衣上部
１１          通孔
１４          後ろ身頃の下部
１４１        下縁
２            舌片
４            胴巻きベルト
４０          帯部
５            肩掛けベルト
５０          バンド部
５３          交差部分
８            幼児を背負った人(運転手)
８１          肩
９            幼児
【図１】
2007061183.tif 000003
【図２】
2007061183.tif 000004
【図３】
2007061183.tif 000005
【図４】
2007061183.tif 000006
【図５】
2007061183.tif 000007
【図６】
2007061183.tif 000008
【図７】
2007061183.tif 000009
【図８】
2007061183.tif 000010
【図９】
2007061183.tif 000011